(57)【要約】【課題】振動の伝達を抑制し、振動に起因した騒音を低減すること。【解決手段】集じん機は、モータと、モータに接続される送風ファンと、モータの周囲に配置されるモータケーシングと、モータケーシングを支持するモータベースと、モータベースを収容するハウジングと、を備える。集じん機は、モータベース及びハウジングのそれぞれに接続されるシール部材を備える。【選択図】図５
2020141719.tif 000002
【特許請求の範囲】
【請求項１】
モータと、
前記モータに接続される送風ファンと、
前記モータの周囲に配置されるモータケーシングと、
前記モータケーシングを支持するモータベースと、
前記モータベースを収容するハウジングと、を備える集じん機であって、
前記モータベース及び前記ハウジングのそれぞれに接続されるシール部材を備えることを特徴とする集じん機。
【請求項２】
前記モータベースの少なくとも一部は、前記モータケーシングの周囲に配置されることを特徴とする請求項１に記載の集じん機。
【請求項３】
前記シール部材は、前記モータケーシングに接続されることを特徴とする請求項１又は請求項２に記載の集じん機。
【請求項４】
前記モータの回転軸と平行な方向において、前記シール部材に接続される前記モータベースの端部の位置と前記モータケーシングの端部の位置とは実質的に等しいことを特徴とする請求項３に記載の集じん機。
【請求項５】
前記シール部材は、前記モータベースに接続される第１環部と、前記第１環部の内側に配置され前記モータケーシングに接続される第２環部と、前記第１環部と前記第２環部の一部とを接続する接続部とを含むことを特徴とする請求項３又は請求項４に記載の集じん機。
【請求項６】
前記第１環部は、前記ハウジングの内面に設けられた第１リブに接続され、
前記第２環部は、前記ハウジングの内面に設けられた第２リブに接続されることを特徴とする請求項５に記載の集じん機。
【請求項７】
前記シール部材は、前記モータケーシングの内部に流入する空気が流通する供給流路と、前記モータケーシングの内部から排出された空気が流通する排出流路とを有することを特徴とする請求項１から請求項６のいずれか一項に記載の集じん機。
【請求項８】
前記モータの出力シャフトを回転可能に支持するベアリングと、
前記ベアリングと前記モータケーシングとの間に配置される緩衝部材と、を備えることを特徴とする請求項１から請求項７のいずれか一項に記載の集じん機。
【請求項９】
前記送風ファンの周囲に配置されるファンカバーを備え、
前記ファンカバーは、前記モータベースに支持されることを特徴とする請求項１から請求項８のいずれか一項に記載の集じん機。
【請求項１０】
前記モータベースは、前記ファンカバーを支持する板部と、前記モータケーシングの周囲に配置される筒部とを含み、
前記シール部材は、前記筒部に接続されることを特徴とする請求項９に記載の集じん機。
【請求項１１】
前記モータの回転軸と直交する面内において、前記筒部の外形は、前記板部の外形よりも小さいことを特徴とする請求項１０に記載の集じん機。
【請求項１２】
前記モータケーシングと前記筒部との間に前記モータケーシングの内部から排出された空気が流通する空気流路が設けられることを特徴とする請求項１０又は請求項１１に記載の集じん機。
【請求項１３】
前記送風ファンに流入する空気が流通する送風通路及び前記送風通路の端部の周囲に配置され前記ファンカバーに接触するシール面を有する支持部材を備えることを特徴とする請求項９から請求項１２のいずれか一項に記載の集じん機。
【請求項１４】
モータと、
前記モータに接続される送風ファンと、
前記モータの周囲に配置されるモータケーシングと、
前記モータケーシングを支持するモータベースと、
前記モータベースを収容するハウジングと、を備える集じん機であって、
前記送風ファンの周囲に配置され前記モータベースに固定されるファンカバーと、
前記送風ファンに流入する空気が流通する送風通路及び前記送風通路の端部の周囲に配置され前記ファンカバーに接触するシール面を有する支持部材と、を備えることを特徴とする集じん機。
【請求項１５】
前記支持部材は、前記シール面及び前記シール面の反対側を向く裏面を有するフランジ部と、前記送風通路の少なくとも一部を有するシリンダ部と、前記フランジ部の裏面及び前記シリンダ部の外面のそれぞれに接続されるリブ部とを含むことを特徴とする請求項１３又は請求項１４に記載の集じん機。
【発明の詳細な説明】
【技術分野】
【０００１】
本発明は、集じん機に関する。
【背景技術】
【０００２】
クリーニング作業において、特許文献１に開示されているような集じん機が使用される。
【先行技術文献】
【特許文献】
【０００３】
【特許文献１】特開２０１６−０７３５５４号公報
【発明の概要】
【発明が解決しようとする課題】
【０００４】
モータ及び送風ファンの回転により集じん機のハウジングが振動すると、振動に起因した騒音が発生し、集じん機の使用者に不快感を与える。
【０００５】
本発明の態様は、振動の伝達を抑制し、振動に起因した騒音を低減することを目的とする。
【課題を解決するための手段】
【０００６】
本発明の態様に従えば、モータと、前記モータに接続される送風ファンと、前記モータの周囲に配置されるモータケーシングと、前記モータケーシングを支持するモータベースと、前記モータベースを収容するハウジングと、を備える集じん機であって、前記モータベース及び前記ハウジングのそれぞれに接続されるシール部材を備えることを特徴とする集じん機が提供される。
【発明の効果】
【０００７】
本発明の態様によれば、振動の伝達を抑制し、振動に起因した騒音を低減することができる。
【図面の簡単な説明】
【０００８】
【図１】図１は、実施形態に係る集じん機を前方から見た斜視図である。
【図２】図２は、実施形態に係る集じん機を後方から見た斜視図である。
【図３】図３は、実施形態に係る集じん機を示す正面図である。
【図４】図４は、実施形態に係る集じん機を示す側面図である。
【図５】図５は、実施形態に係る集じん機を示す断面図である。
【図６】図６は、実施形態に係る駆動ユニットを示す斜視図である。
【図７】図７は、実施形態に係る駆動ユニットを示す側面図である。
【図８】図８は、実施形態に係る駆動ユニットを示す断面図である。
【図９】図９は、実施形態に係る駆動ユニットを上方から見た平面図である。
【図１０】図１０は、実施形態に係る支持部材を示す斜視図である。
【図１１】図１１は、実施形態に係る支持部材を示す側面図である。
【発明を実施するための形態】
【０００９】
以下、本発明に係る実施形態について図面を参照しながら説明するが、本発明は実施形態に限定されない。
【００１０】
本実施形態においては、「左」、「右」、「前」、「後」、「上」、及び「下」の用語を用いて各部の位置関係について説明する。これらの用語は、集じん機１の中心を基準とした相対位置又は方向を示す。
【００１１】
［集じん機の概要］
図１は、実施形態に係る集じん機１を前方から見た斜視図である。図２は、実施形態に係る集じん機１を後方から見た斜視図である。図３は、実施形態に係る集じん機１を示す正面図である。図４は、実施形態に係る集じん機１を示す側面図である。図５は、実施形態に係る集じん機１を示す断面図であり、図３のＡ−Ａ線矢視断面図に相当する。
【００１２】
集じん機１は、空気のみならず液体も吸い込むことができる乾湿両用集じん機である。図１、図２、図３、図４、及び図５に示すように、集じん機１は、タンク部２と、タンク部２の上方に配置される本体部３とを備える。タンク部２の左側面及び右側面のそれぞれにラッチ４が設けられる。タンク部２と本体部３とはラッチ４により固定される。
【００１３】
タンク部２は、ホースが接続される吸込口５を有する。吸込口５は、タンク部２の前面に設けられる。タンク部２は、キャスタ６に支持される。キャスタ６により、集じん機１はクリーニング対象面を移動可能である。
【００１４】
本体部３は、ハウジング７と、ハウジング７に収容される駆動ユニット１００とを有する。駆動ユニット１００は、モータ１１及び送風ファン１２を含む。
【００１５】
ハウジング７は、下ハウジング８と、上ハウジング９と、中ハウジング１０とを含む。下ハウジング８は、タンク部２に接続される。タンク部２の上部に開口が設けられる。下ハウジング８は、タンク部２の開口を覆うようにタンク部２に接続される。上ハウジング９は、下ハウジング８よりも上方に配置される。中ハウジング１０は、下ハウジング８と上ハウジング９との間に配置される。下ハウジング８と上ハウジング９と中ハウジング１０とは接続される。図５に示すように、下ハウジング８と上ハウジング９と中ハウジング１０とは、ねじ７Ｃにより固定される。
【００１６】
モータ１１は、送風ファン１２を回転させるための動力を発生する。本体部３は、電動工具用のバッテリが装着されるバッテリ装着部を有する。モータ１１は、バッテリから供給される電力により駆動する。
【００１７】
本体部３は、操作パネル１５と、操作プレート１６と、ハンドル１７と、カバー部材１９を有する。操作パネル１５は、本体部３の前面に設けられる。操作パネル１５は、主電源スイッチ１５Ａ、吸込力調整スイッチ１５Ｂ、及びバッテリの残容量を表示する表示部１５Ｃを含む。
【００１８】
操作プレート１６は、上ハウジング９に回動可能に支持される。操作プレート１６の裏面に操作スイッチが配置される。操作プレート１６の表面にスイッチ表示部１６Ａが設けられる。
【００１９】
ハンドル１７は、上ハウジング９に回動可能に支持される。ハンドル１７は、操作プレート１６よりも後方に配置される。集じん機１の使用者は、ハンドル１７を保持した状態で、集じん機１を運ぶことができる。
【００２０】
カバー部材１９は、上ハウジング９に回動可能に支持される。カバー部材１９は、フック１９Ｆによりハウジング７に固定される。カバー部材１９は、ハンドル１７よりも後方に配置される。バッテリ装着部は、上ハウジング９の後部の外面に設けられる。カバー部材１９は、上ハウジング９との間においてバッテリ装着部が収容される収容空間を形成する。
【００２１】
ハウジング７は、駆動ユニット１００からの空気が排出される排気口６２と、モータ１１を冷却するための空気を吸い込む冷却吸気口６４と、モータ１１を冷却した後の空気が排出される冷却排気口６５とを有する。
【００２２】
排気口６２は、上ハウジング９の両側面に設けられる。冷却吸気口６４は、上ハウジング９の左側面に設けられる。冷却排気口６５は、上ハウジング９の右側面に設けられる。
【００２３】
モータ１１は、固定子と、回転子と、回転子に接続される出力シャフト１１Ｓとを有する。出力シャフト１１Ｓは、ベアリング１１Ａ及びベアリング１１Ｂにより回転可能に支持される。ベアリング１１Ａは、出力シャフト１１Ｓの下部を回転可能に支持する。ベアリング１１Ｂは、出力シャフト１１Ｓの上部を回転可能に支持する。出力シャフト１１Ｓの下端部に送風ファン１２が固定される。出力シャフト１１Ｓの上端部に冷却ファンが固定される。モータ１１が駆動すると、送風ファン１２及び冷却ファンのそれぞれが回転する。
【００２４】
送風ファン１２が回転することにより、吸込口５に吸込力が発生する。吸込口５からタンク部２の内部空間に吸い込まれた空気は、タンク部２の内部空間を流通した後、送風ファン１２に流入する。送風ファン１２は、遠心ファンである。送風ファン１２に流入した空気は、送風ファン１２の周囲に設けられている排気流路６１に排出される。なお、図５に示すように、排気流路６１にスポンジのような吸音部材６３が配置される。排気流路６１は、排気口６２に接続される。送風ファン１２を通過し、排気流路６１を流通した空気は、排気口６２を介してハウジング７の外部空間に排出される。
【００２５】
冷却ファンが回転することにより、ハウジング７の外部空間の空気が冷却吸気口６４を介してハウジング７の内部空間に流入する。冷却吸気口６４からハウジング７の内部空間に流入した空気は、ハウジング７の内部空間に設けられている冷却供給流路を流通した後、モータ１１に供給される。モータ１１に供給された空気は、モータ１１を冷却する。モータ１１を冷却した後の空気は、ハウジング７の内部空間に設けられている冷却排気流路を流通する。冷却排気流路は、冷却排気口６５に接続される。冷却排気流路を流通した空気は、冷却排気口６５を介してハウジング７の外部空間に排出される。
【００２６】
［ベース部材及びシール部材］
図６は、実施形態に係る駆動ユニット１００を示す斜視図である。図７は、実施形態に係る駆動ユニット１００を示す側面図である。図８は、実施形態に係る駆動ユニット１００を示す断面図である。図９は、実施形態に係る駆動ユニット１００を上方から見た平面図である。
【００２７】
図５、図６、図７、図８、及び図９に示すように、駆動ユニット１００は、モータ１１と、モータ１１に接続される送風ファン１２と、モータ１１の周囲に配置されるモータケーシング１３と、送風ファン１２の周囲に配置されるファンカバー１４と、モータケーシング１３を支持するモータベース２０と、モータベース２０及びハウジング７のそれぞれに接続されるシール部材３０と、ファンカバー１４を支持する支持部材４０とを有する。ハウジング７は、駆動ユニット１００が配置される内部空間を有する。駆動ユニット１００は、ハウジング７に収容される。
【００２８】
モータ１１は、送風ファン１２を回転させる動力を発生する。モータ１１は、モータケーシング１３の内部に配置される。モータ１１は、モータケーシング１３に支持される。実施形態において、モータ１１は、モータ１１の出力シャフト１１Ｓの回転軸ＡＸが上下方向に延在するように、モータケーシング１３に支持される。モータ１１の回転軸ＡＸと平行な方向は、上下方向である。
【００２９】
送風ファン１２は、モータ１１が発生する動力により回転する。送風ファン１２は、回転軸ＡＸを中心に回転する。送風ファン１２は、モータ１１よりも下方に配置される。送風ファン１２は、出力シャフト１１Ｓの下端部に固定される。送風ファン１２は、遠心ファンである。送風ファン１２が回転すると、送風ファン１２の下方から送風ファン１２に空気が流入する。送風ファン１２を通過した空気は、送風ファン１２から回転軸ＡＸの放射方向外側に排出される。
【００３０】
モータケーシング１３は、モータ１１を収容する。モータケーシング１３は、モータ１１を囲むように配置される。モータケーシング１３は、モータ１１の周囲に配置される筒状の部材である。モータケーシング１３の上端部は、モータ１１の上端部及びベアリング１１Ｂよりも上方に配置される。モータケーシング１３は、例えばポリカーボネート樹脂のような合成樹脂製である。
【００３１】
ファンカバー１４は、送風ファン１２の周囲に配置される。ファンカバー１４は、モータベース２０に支持される。ファンカバー１４は、モータベース２０に着脱可能である。ファンカバー１４は、送風ファン１２よりも下方に配置される底板部１４Ａと、送風ファン１２よりも回転軸ＡＸの放射方向外側に配置される側板部１４Ｂとを含む。ファンカバー１４は、送風ファン１２に流入する空気が通過する流入口１４Ｌと、送風ファン１２から排出された空気が流通する流出口１４Ｍとを有する。流入口１４Ｌは、底板部１４Ａの中央部に設けられる。流出口１４Ｍは、側板部１４Ｂに設けられる。流出口１４Ｍは、回転軸ＡＸの周方向に複数設けられる。
【００３２】
モータベース２０は、モータケーシング１３を支持する。モータベース２０の少なくとも一部は、モータケーシング１３の周囲に配置される。モータベース２０は、例えばポリカーボネート樹脂のような合成樹脂製である。
【００３３】
モータベース２０は、ファンカバー１４を支持する板部２１と、モータケーシング１３の周囲に配置される筒部２２とを含む。板部２１は、ファンカバー１４と接続される。筒部２２の内面とモータケーシング１３の外面とは間隙を介して対向する。
【００３４】
板部２１は、筒部２２の下端部に接続される。板部２１は環状である。板部２１の中央部に開口部２１Ｍが設けられる。モータケーシング１３の下端部は、板部２１の開口部２１Ｍに配置される。板部２１は、モータケーシング１３を支持する。また、モータ１１の出力シャフト１１Ｓが開口部２１Ｍに配置される。出力シャフト１１Ｓの下端部は、板部２１の下面よりも下方に配置される。
【００３５】
板部２１は、筒部２２の下端部から回転軸ＡＸの放射方向外側に延在する。板部２１の外縁部に周壁部２３が接続される。周壁部２３は、板部２１の外縁部から上方に突出する。周壁部２３は、ファンカバー１４の側板部１４Ｂの内面と接続される。
【００３６】
筒部２２は、板部２１から上方に突出する。筒部２２は、モータケーシング１３を囲むように配置される。筒部２２の上端部は、モータ１１の上端部及びベアリング１１Ｂよりも上方に配置される。上下方向において、筒部２２の上端部の位置とモータケーシング１３の上端部の位置とは実質的に等しい。なお、筒部２２の上端部は、モータケーシング１３の上端部よりも上方に配置されてもよい。筒部２２の上端部は、モータケーシング１３の上端部よりも下方に配置されてもよい。
【００３７】
回転軸ＡＸと直交する面内において、筒部２２の外形は、板部２１の外形よりも小さい。すなわち、回転軸ＡＸと直交する面内において、回転軸ＡＸと筒部２２の外縁部との距離は、回転軸ＡＸと板部２１の外縁部との距離よりも短い。
【００３８】
シール部材３０は、モータベース２０及びハウジング７のそれぞれに接続される。シール部材３０は、モータベース２０の上端部とハウジング７の内面との境界をシールする。シール部材３０は、ニトリルゴム（ＮＢＲ）又はシリコンゴムのような合成ゴム製である。
【００３９】
また、シール部材３０は、モータケーシング１３にも接続される。シール部材３０は、モータケーシング１３の上端部とハウジング７の内面との境界をシールする。
【００４０】
シール部材３０は、シール部材３０の周囲の異物がモータベース２０の内部及びモータケーシング１３の内部に侵入することを抑制する。異物は、塵埃及び液体を含む。
【００４１】
シール部材３０は、モータベース２０の筒部２２の上端部及びモータケーシング１３の上端部のそれぞれに接続される。
【００４２】
シール部材３０は、モータベース２０に接続される第１環部３０Ａと、第１環部３０Ａの内側に配置されモータケーシング１３に接続される第２環部３０Ｂと、第１環部３０Ａと第２環部３０Ｂの一部とを接続する接続部３０Ｃとを含む。
【００４３】
第１環部３０Ａは、第２環部３０Ｂの外面と対向する内面を有する。第１環部３０Ａの内面と第２環部３０Ｂの外面とは、間隙を介して対向する。第１環部３０Ａの内面の一部に凹部３２Ｒが設けられる。凹部３２Ｒは、第１環部３０Ａの前側の内面の一部の領域において、回転軸ＡＸの放射方向外側に窪むように設けられる。
【００４４】
接続部３０Ｃは、第１環部３０Ａの後側の内面の一部の領域と第２環部３０Ｂの後側の外面の一部の領域とを接続する。シール部材３０は、単一部材である。第１環部３０Ａと第２環部３０Ｂとが分離しないので、使用者は、シール部材３０を円滑に扱うことができる。
【００４５】
シール部材３０とモータベース２０及びモータケーシング１３とが接続された状態で、第２環部３０Ｂの内側の空間３１は、モータケーシング１３の内部の空間に接続される。また、第２環部３０Ｂの外面と第１環部３０Ａの内面との間の空間３２は、モータケーシング１３の外面と筒部２２の内面との間の空間３９に接続される。
【００４６】
図８に示すように、第１環部３０Ａは、筒部２２の上端部が配置される溝３３を有する。溝３３は、第１環部３０Ａの下面に設けられる。第２環部３０Ｂは、モータケーシング１３の上端部が配置される溝３４を有する。溝３４は、第２環部３０Ｂの下面に設けられる。
【００４７】
図５に示すように、第１環部３０Ａは、上ハウジング９の内面に設けられた第１リブ９Ａに接続される。第２環部３０Ｂは、上ハウジング９の内面に設けられた第２リブ９Ｂに接続される。第１リブ９Ａ及び第２リブ９Ｂのそれぞれは、上ハウジング９の内面の少なくとも一部から下方に向かって突出する。
【００４８】
第１環部３０Ａは、第１リブ９Ａが配置される溝３６を有する。溝３６は、第１環部３０Ａの上面に設けられる。第２環部３０Ｂは、第２リブ９Ｂが配置される溝３７を有する。溝３７は、第２環部３０Ｂの上面に設けられる。
【００４９】
上述のように、モータ１１を冷却するための空気がモータケーシング１３の内部に流入する。図８の矢印で示すように、冷却吸気口６４を介してハウジング７の内部空間に流入した空気は、ハウジング７の内部空間に設けられている冷却供給流路を流通した後、第２環部３０Ｂの内側の空間３１に流入する。空気は、空間３１の上端部から空間３１に流入する。空間３１を流通した空気は、モータケーシング１３の内部に流入する。モータケーシング１３の内部において空気が流通することにより、モータ１１が冷却される。モータケーシング１３の下部には、モータケーシング１３の内部と空間３９とを結ぶ開口が設けられている。モータケーシング１３の内部を流通した空気は、モータケーシング１３の下部に設けられている開口を介して、空間３９に流入する。空間３９に流入した空気は、空間３９において上方に流通した後、第２環部３０Ｂと第１環部３０Ａとの間の空間３２に流入する。空間３２を流通した空気は、空間３２の上端部から排出される。空間３２から排出された空気は、ハウジング７の内部空間に設けられている冷却排気流路を流通した後、冷却排気口６５を介してハウジング７の外部空間に排出される。
【００５０】
第２環部３０Ｂの内側の空間３１は、モータケーシング１３の内部に流入する空気が流通する供給流路として機能する。第２環部３０Ｂと第１環部３０Ａとの間の空間３２は、モータケーシング１３の内部から排出された空気が流通する排出流路として機能する。モータケーシング１３と筒部２２との間の空間３９は、モータケーシング１３の内部から排出された空気が流通する空気流路として機能する。
【００５１】
以下の説明においては、空間３１を適宜、供給流路３１、と称し、空間３２を適宜、排出流路３２、と称し、空間３９を適宜、空気流路３９、と称する。
【００５２】
回転軸ＡＸと直交する面内において、排出流路３２は、スリット状である。また、回転軸ＡＸと直交する面内において、排出流路３２は、実質的に円弧状である。凹部３２Ｒにおいて、回転軸ＡＸの放射方向における排出流路３２の寸法は大きい。例えばモータ１１に接続されるケーブルは、凹部３２Ｒに配置される。
【００５３】
［緩衝部材］
図８に示すように、ベアリング１１Ｂの周囲に緩衝部材５０が配置される。緩衝部材５０は、ベアリング１１Ｂとモータケーシング１３との間に配置される。緩衝部材５０は、ニトリルゴム（ＮＢＲ）又はシリコンゴムのような合成ゴム製である。緩衝部材５０により、モータ１１で発生した振動がモータケーシング１３に伝達されることが抑制される。
【００５４】
［支持部材］
図１０は、実施形態に係る支持部材４０を示す斜視図である。図１１は、実施形態に係る支持部材４０を示す側面図である。
【００５５】
図５、図１０、及び図１１に示すように、支持部材４０は、フランジ部４１と、シリンダ部４２と、リブ部４３とを有する。支持部材４０は、ニトリルゴム（ＮＢＲ）又はシリコンゴムのような合成ゴム製である。
【００５６】
また、支持部材４０は、送風ファン１２に流入する空気が流通する送風通路４４と、送風通路４４の上端部の周囲に配置されファンカバー１４に接触するシール面４５とを有する。
【００５７】
フランジ部４１は、シール面４５を有する。シール面４５は、ファンカバー１４の底板部１４Ａの下面に接触するように上方を向く。また、フランジ部４１は、シール面４５の反対側を向く裏面４６を有する。裏面４６は下方を向く。フランジ部４１の中央部に開口が設けられる。フランジ部４１の開口により、送風通路４４の一部が規定される。
【００５８】
シリンダ部４２は、フランジ部４１の下方に設けられる。シリンダ部４２は、送風通路４４の少なくとも一部を有する。シリンダ部４２の内側の空間により、送風通路４４の一部が規定される。
【００５９】
リブ部４３は、フランジ部４１の裏面４６及びシリンダ部４２の外面のそれぞれに接続される。リブ部４３は、回転軸ＡＸの周方向に複数設けられる。
【００６０】
支持部材４０は、送風通路４４とファンカバー１４の流入口１４Ｌとが接続されるように、ファンカバー１４を支持する。シール面４５は、底板部１４Ａの下面と密着する。
【００６１】
［動作］
集じん機１の動作について説明する。モータ１１が駆動すると、送風ファン１２及び冷却ファンのそれぞれが回転する。
【００６２】
送風ファン１２が回転することにより、吸込口５に吸込力が発生する。吸込口５からタンク部２の内部空間に吸い込まれた空気は、タンク部２の内部空間を流通した後、支持部材４０の送風通路４４に流入する。空気は、送風通路４４の下方から送風通路４４に流入する。送風通路４４を流通した空気は、ファンカバー１４の流入口１４Ｌを介して、送風ファン１２に流入する。支持部材４０のシール面４５は、ファンカバー１４の底板部１４Ａの下面と密着する。支持部材４０とファンカバー１４との境界は、シール面４５によりシールされる。すなわち、支持部材４０は、支持部材４０とファンカバー１４との境界をシールするシール部材である。これにより、送風通路４４を流通した空気が支持部材４０とファンカバー１４との境界を介して漏出することが抑制される。送風通路４４を流通した空気は、流入口１４Ｌを介して送風ファン１２に流入する。
【００６３】
送風ファン１２に流入した空気は、送風ファン１２の周囲に設けられている排気流路６１に排出される。排気流路６１を流通した空気は、排気口６２を介してハウジング７の外部空間に排出される。
【００６４】
モータ１１及び送風ファン１２の回転により、振動が発生する可能性がある。モータベース２０及びモータケーシング１３と上ハウジング９とは、シール部材３０を介して接続される。シール部材３０は、合成ゴム製であり、振動の伝達を抑制することができる。すなわち、シール部材３０は、防振機能を有する防振部材である。したがって、シール部材３０により、モータ１１及び送風ファン１２において発生した振動がハウジング７に伝達されることが抑制される。振動がハウジング７に伝達されることが抑制されるので、振動に起因した騒音の発生が抑制される。
【００６５】
また、支持部材４０も、合成ゴム製であり、振動の伝達を抑制することができる。すなわち、支持部材４０は、防振機能を有する防振部材である。したがって、支持部材４０により、モータ１１及び送風ファン１２において発生した振動がハウジング７に伝達されることが抑制される。振動がハウジング７に伝達されることが抑制されるので、振動に起因した騒音の発生が抑制される。
【００６６】
集じん機１は、乾湿両用集じん機である。吸込口５から液体が吸い込まれた場合、シール部材３０により、モータケーシング１３の内部に侵入することが抑制される。すなわち、シール部材３０は、防水機能を有する防水部材である。これにより、モータ１１と液体との接触が抑制される。
【００６７】
［効果］
以上説明したように、モータベース２０とハウジング７との間にシール部材３０が配置される。モータベース２０は、モータケーシング１３を支持する。ファンカバー１４は、モータベース２０に支持される。モータ１１及び送風ファン１２の回転により、モータベース２０が振動する可能性がある。モータベース２０とハウジング７との間にシール部材３０が配置されるので、モータ１１及び送風ファン１２において発生した振動がハウジング７に伝達されることが抑制される。そのため、振動に起因した騒音が低減される。したがって、集じん機１の使用者に不快感を与えることが抑制される。
【００６８】
また、吸込口５から液体が吸い込まれた場合、シール部材３０により、モータケーシング１３の内部に侵入することが抑制される。これにより、モータ１１と液体との接触が抑制される。
【００６９】
このように、シール部材３０は、防振部材及び防水部材として機能することができる。
【００７０】
シール部材３０は、モータベース２０のみならずモータケーシング１３にも接続される。これにより、モータ１１及び送風ファン１２において発生した振動がハウジング７に伝達されることを効果的に抑制することができる。そのため、振動に起因した騒音を効果的に低減することができる。また、液体がモータケーシング１３の内部に侵入することを効果的に抑制することができる。
【００７１】
上下方向において、シール部材３０に接続されるモータベース２０の上端部の位置とモータケーシング１３の上端部の位置とは実質的に等しい。そのため、シール部材３０は、モータベース２０及びモータケーシング１３のそれぞれに接続することができる。
【００７２】
シール部材３０は、モータベース２０に接続される第１環部３０Ａと、モータケーシング１３に接続される第２環部３０Ｂと、第１環部３０Ａと第２環部３０Ｂの一部とを接続する接続部３０Ｃとを含む。シール部材３０は、単一部材である。これにより、シール部材３０の防振機能及び防水機能が確保された状態で、使用者はシール部材３０を円滑に扱うことができる。
【００７３】
第１環部３０Ａは、ハウジング７の内面に設けられた第１リブ９Ａに接続される。第２環部３０Ｂは、ハウジング７の内面に設けられた第２リブ９Ｂに接続される。これにより、シール部材３０とハウジング７との境界は十分にシールされる。
【００７４】
シール部材３０は、モータケーシング１３の内部に流入する空気が流通する供給流路３１と、モータケーシング１３の内部から排出された空気が流通する排出流路３２とを有する。これにより、モータ１１を冷却するための空気は、モータ１１に円滑に供給され、モータ１１を冷却した後の空気は、円滑に排出される。
【００７５】
回転軸ＡＸと直交する面内において、筒部２２の外形は、板部２１の外形よりも小さい。シール部材３０は、筒部２２に接続される。これにより、送風ファン１２の回転において送風ファン１２の回転軸の角度が変動しても、ハウジング７の振動が抑制される。すなわち、筒部２２の外形が小さく筒部２２の高さが十分に高いので、送風ファン１２が振れ回った場合においても、筒部２２の上端部における振動の振幅を小さくすることができる。これにより、ハウジング７の振動を効果的に抑制することができ、振動に起因した騒音を効果的に低減することができる。
【００７６】
モータケーシング１３の外面とモータベース２０の筒部２２の内面とは間隙を介して対向する。モータケーシング１３と筒部２２との間にモータケーシング１３の内部から排出された空気が流通する空気流路３９が設けられる。これにより、モータ１１を冷却した後の空気は、円滑に排出される。
【００７７】
ベアリング１１Ｂとモータケーシング１３との間に緩衝部材５０が配置される。緩衝部材５０により、モータ１１で発生した振動がモータケーシング１３に伝達されることが抑制される。
【００７８】
ファンカバー１４を支持する支持部材４０は、ファンカバー１４の流入口１４Ｌに接続される送風通路４４及び送風通路４４の上端部の周囲に配置されファンカバー１４の底板部１４Ａの下面に密着するシール面４５を有する。送風通路４４により、空気は送風ファン１２に円滑に流入することができる。シール面４５により、送風通路４４を流通した空気が支持部材４０とファンカバー１４との境界を介して漏出することが抑制される。送風通路４４を流通した空気は、流入口１４Ｌを介して送風ファン１２に流入することができる。また、支持部材４０により、モータ１１及び送風ファン１２において発生した振動がハウジング７に伝達されることが抑制される。
【００７９】
このように、支持部材４０は、シール部材及び防振部材として機能することができる。
【００８０】
支持部材４０は、フランジ部４１の裏面４６及びシリンダ部４２の外面のそれぞれに接続されるリブ部４３を含む。これにより、支持部材４０の形状及び強度が維持される。
【００８１】
［その他の実施形態］
上述の実施形態においては、モータベース２０の少なくとも一部は、モータケーシング１３の周囲に配置されることとした。例えば筒部２２の上端部はモータ１１の上端部よりも下方に配置されてもよい。また、筒部２２が省略されてもよい。上下方向における第１リブ９Ａの寸法及び第２リブ９Ｂの寸法を十分に大きくしたり、上下方向におけるシール部材３０の寸法を十分に大きくしたりすることにより、モータベース２０がモータケーシング１３の周囲に配置されていなくても、シール部材３０は、モータベース２０及びハウジング７のそれぞれに接続することができる。
【００８２】
上述の実施形態においては、第１環部３０Ａと第２環部３０Ｂとは接続部３０Ｃを介して接続されることとした。接続部３０Ｃは省略されてもよい。シール部材３０が第１環部３０Ａと第２環部３０Ｂとの２つの部材で構成されてもよい。
【００８３】
上述の実施形態においては、集じん機１は、キャスタ６によりクリーニング対象面を移動可能であることとした。キャスタ６は省略されてもよい。集じん機１は、使用者に保持された状態又はショルダーベルトを介して使用者の肩に支持された状態で使用される、所謂、箱型集じん機でもよい。
【００８４】
上述の実施形態においては、集じん機１は、乾湿両用集じん機であることとした。集じん機１は、乾式集じん機でもよい。
【符号の説明】
【００８５】
１…集じん機、２…タンク部、３…本体部、４…ラッチ、５…吸込口、６…キャスタ、７…ハウジング、７Ｃ…ねじ、８…下ハウジング、９…上ハウジング、９Ａ…第１リブ、９Ｂ…第２リブ、１０…中ハウジング、１１…モータ、１１Ａ…ベアリング、１１Ｂ…ベアリング、１１Ｓ…出力シャフト、１２…送風ファン、１３…モータケーシング、１４…ファンカバー、１４Ａ…底板部、１４Ｂ…側板部、１４Ｌ…流入口、１４Ｍ…流出口、１５…操作パネル、１５Ａ…主電源スイッチ、１５Ｂ…吸込力調整スイッチ、１５Ｃ…表示部、１６…操作プレート、１６Ａ…スイッチ表示部、１７…ハンドル、１９…カバー部材、１９Ｆ…フック、２０…モータベース、２１…板部、２１Ｍ…開口部、２２…筒部、２３…周壁部、３０…シール部材、３０Ａ…第１環部、３０Ｂ…第２環部、３０Ｃ…接続部、３１…空間（供給流路）、３２…空間（排出流路）、３２Ｒ…凹部、３３…溝、３４…溝、３６…溝、３７…溝、３９…空間（空気流路）、４０…支持部材、４１…フランジ部、４２…シリンダ部、４３…リブ部、４４…送風通路、４５…シール面、５０…緩衝部材、６１…排気流路、６２…排気口、６３…吸音部材、６４…冷却吸気口、６５…冷却排気口、１００…駆動ユニット、ＡＸ…回転軸。
【図１】
2020141719.tif 000003
【図２】
2020141719.tif 000004
【図３】
2020141719.tif 000005
【図４】
2020141719.tif 000006
【図５】
2020141719.tif 000007
【図６】
2020141719.tif 000008
【図７】
2020141719.tif 000009
【図８】
2020141719.tif 000010
【図９】
2020141719.tif 000011
【図１０】
2020141719.tif 000012
【図１１】
2020141719.tif 000013